(57)【要約】【課題】送風通路の容積の確保、車室内への騒音の低減、および外表面の保護を可能とする車両用空調装置および空調ダクトを提供する。【解決手段】車両用空調装置は、空調ユニット１が、空気が流通する空気通路２と、空気の空調に使用される空調用機能部品４を搭載し、空気通路２を形成する空調ケース５と、空気通路２の全部または一部の外殻を構成するように設けられた吸音部と、を備える。そして、ブロワケーシング２０、第１吸込みダクト２１、第２吸込みダクト２２、および吹出しダクト２３は、非通気性の板材１０と、板材１０を挟むように両側に配置された第１吸音材１１および第２吸音材１２とを一体化して形成された複数層部材で構成されている。【選択図】図３
2007153134.tif 000002
【特許請求の範囲】
【請求項１】
車両に設けられた空調ユニット（１）によって車室内（３）に空調された空気を送る車両用空調装置であって、
前記空調ユニット（１）は、空気が流通する空気通路（２）と、前記空気の空調に使用される空調用機能部品（４）を搭載し、前記空気通路（２）を形成する空調ケース（５）と、前記空気通路（２）の全部または一部の外殻を構成するように設けられた吸音部（２０、２１、２２、２３）と、を備え、
前記吸音部（２０、２１、２２、２３）は、非通気性の中間層（１０）と、前記中間層（１０）を挟むように両側に配置された吸音層（１１、１２）とが一体化されて形成された複数層部材（２１ｃ、２１ｄ、２２ｃ、２２ｄ）で構成されていることを特徴とする車両用空調装置。
【請求項２】
前記空調ケース（５）と前記車室内（３）を連通させるダクト（２１、２２）を設け、前記ダクト（２１、２２）に吸音部（２１、２２）を設けることを特徴とする請求項１に記載の車両用空調装置。
【請求項３】
前記ダクト（２１、２２）はその全体形状が組み合わされた複数個の前記複数層部材（２１ｃ、２１ｄ、２２ｃ、２２ｄ）で形成されていることを特徴とする請求項２に記載の車両用空調装置。
【請求項４】
前記複数層部材（２１ｃ、２１ｄ、２２ｃ、２２ｄ）は、前記吸音層（１１、１２）の間に前記中間層（１０）をインサートして成形することにより形成されることを特徴とする請求項３に記載の車両用空調装置。
【請求項５】
前記吸音部（２０）を前記空調ケース（５）の一部に設けることを特徴とする請求項１に記載の車両用空調装置。
【請求項６】
前記複数層部材（２１ｃ、２１ｄ、２２ｃ、２２ｄ）のうち、前記中間層（１０）よりも外側に位置する吸音層（１２）は、前記中間層（１０）よりも内側に位置する吸音層（１１）よりも硬い層であることを特徴とする請求項１から５のいずれかに記載の車両用空調装置。
【請求項７】
前記複数層部材（２１ｃ、２１ｄ、２２ｃ、２２ｄ）のうち、前記中間層（１０）よりも内側に位置する吸音層（１１）は、前記中間層（１０）よりも外側に位置する吸音層（１２）よりも厚さの大きい層であることを特徴とする請求項１から６のいずれかに記載の車両用空調装置。
【請求項８】
前記吸音層（８、９、１１、１２）は繊細な糸状物質から構成されていることを特徴とする請求項１から７のいずれかに記載の車両用空調装置。
【請求項９】
前記中間層（１０）は臭気遮断性を有する板材であることを特徴とする請求項１から８のいずれかに記載の車両用空調装置。
【請求項１０】
前記中間層（１０）は、外側に位置する吸音層（１２）と、内側に位置する吸音層（１１）との間に膜状に形成した接着材料であることを特徴とする請求項１から８のいずれかに記載の車両用空調装置。
【請求項１１】
車室内（３）に空調された空気を送る空調ユニット（１）と前記車室内（３）とを連通するように設けられた空調ダクト（３０、３１）であって、
その外殻が、非通気性の中間層（７、１０）と、前記中間層（７、１０）を挟むように両側に配置された吸音層（８、９、１１、１２）とを一体化して形成された複数層部材（３０ａ、３０ｂ、３１ａ、３１ｂ）で構成されていることを特徴とする空調ダクト。
【請求項１２】
複数個の前記複数層部材（３０ａ、３０ｂ、３１ａ、３１ｂ）が組み合わされてその全体形状が形成されていることを特徴とする請求項１１に記載の空調ダクト。
【請求項１３】
前記複数層部材（３０ａ、３０ｂ、３１ａ、３１ｂ）は、前記吸音層（８、９、１１、１２）の間に前記中間層（７、１０）をインサートして成形することにより形成されることを特徴とする請求項１２に記載の空調ダクト。
【請求項１４】
前記複数層部材（３０ａ、３０ｂ、３１ａ、３１ｂ）のうち、前記中間層（７、１０）よりも外側に位置する吸音層（９、１２）は、前記中間層（７、１０）よりも内側に位置する吸音層（８、１１）よりも硬い層であることを特徴とする請求項１１から１３のいずれかに記載の空調ダクト。
【請求項１５】
前記複数層部材（３０ａ、３０ｂ、３１ａ、３１ｂ）のうち、前記中間層（７、１０）よりも内側に位置する吸音層（８、１１）は、前記中間層（７、１０）よりも外側に位置する吸音層（９、１２）よりも厚さの大きい層であることを特徴とする請求項１１から１４のいずれかに記載の車両用空調装置。
【請求項１６】
前記吸音層（８、９、１１、１２）は繊細な糸状物質から構成されていることを特徴とする請求項１１から１５のいずれかに記載の空調ダクト。
【請求項１７】
前記中間層（７、１０）は臭気遮断性を有する板材であることを特徴とする請求項１１から１６のいずれかに記載の空調ダクト。
【請求項１８】
前記中間層（７、１０）は、外側に位置する吸音層（９、１２）と内側に位置する吸音層（８、１１）との間に膜状に形成された接着材料であることを特徴とする請求項１１から１６のいずれかに記載の空調ダクト。
【発明の詳細な説明】
【技術分野】
【０００１】
本発明は、空調ユニットを備え、自動車等の車室内に空調された空気を吹き出す車両用空調装置、および車室内と空調ユニットを連通する空調ダクトに関する。
【背景技術】
【０００２】
従来の車両用空調装置や空調ダクトにおいては、空調風が流れることによって発生する騒音が車室内に伝わることを防止する必要があった。特に、吸込み口や吹出し口に近い部位で発生する騒音が強い影響を与えていた。
【０００３】
そこで、このような騒音を低減するための技術を開示したものとして特許文献１および特許文献２が知られている。特許文献１の車両用空調装置は、送風通路を形成する通路形成ケースと、送風通路内に設けられ内外気を導入するブロワユニットと、通路形成ケース内面に貼付された吸音材と、ブロワユニットにより送風された空気を空調するエアコンユニットと、を備えている。
【０００４】
また、特許文献２の空調ダクトは、自立する程度に硬いグラスウールからなる吸音材で形成されており、この吸音材の内表面または外表面に薄いフィルム材が装着されている。この吸音材とフィルム材により、ダクト内部から外部への空気の流れを遮断するとともに、空気を外部に漏らすことなく、空気の振動のみを外部に漏らして騒音の低減を図っている。
【特許文献１】特開２００４−２４３８１６号公報
【特許文献２】特開２００１−３２２５４４号公報
【発明の開示】
【発明が解決しようとする課題】
【０００５】
しかしながら、上記特許文献１の車両用空調装置においては、ブロワユニットを収納する通路形成ケースの内面に吸音材を設けることで騒音の低減を図っているが、この吸音材は新たに付加したものであり、送風通路内の容積を小さくしてしまうことになる。そして、送風通路内の必要容積に配慮すると、吸音材の厚さや表面積が小さくなり十分な騒音の低減効果が得られないという問題があり、また、送風通路内の必要容積の確保と十分な騒音の低減効果の両方を満たすためには、通路形成ケースを大きくすることになり空調装置全体が大型化してしまうという問題があった。
【０００６】
また、上記特許文献２の空調ダクトにおいては、ダクトの外表面側の材料は、ダクトの形態を維持するために一定以上の剛性を有していることが必要となるので、薄いフィルム材を外表面に配した場合でも吸音材を剛性の高い材料で構成しなければならない。そうすると、通常、吸音材はその剛性が低い材料の方がその吸音効果が高いため、薄いフィルム材および吸音材の２層で形成されている特許文献２の空調ダクトは、吸音材による吸音効果が十分でなく、十分な騒音の低減が得られないという問題があった。また、薄いフィルム材をダクトの外表面に配した場合には、ダクトの取り付け作業工程などにおいて、フィルム材を破損してダクトの通気遮断性能を損なってしまうという問題があった。
【０００７】
そこで、本発明の目的は、上記問題点を鑑みてなされたものであり、送風通路の容積の確保、車室内への騒音の低減、および外表面の保護を備えた車両用空調装置および空調ダクトを提供することである。
【課題を解決するための手段】
【０００８】
上記目的を達成するために、以下の技術的手段を採用する。すなわち、請求項１に記載の発明は、車両に設けられた空調ユニット（１）によって車室内（３）に空調された空気を送る車両用空調装置であって、空調ユニット（１）は、空気が流通する空気通路（２）と、空気の空調に使用される空調用機能部品（４）を搭載し、空気通路（２）を形成する空調ケース（５）と、空気通路（２）の全部または一部の外殻を構成するように設けられた吸音部（２０、２１、２２、２３）と、を備える。そして、吸音部（２０、２１、２２、２３）は、非通気性の中間層（１０）と、中間層（１０）を挟むように両側に配置された吸音層（１１、１２）とが一体化されて形成された複数層部材（２１ｃ、２１ｄ、２２ｃ、２２ｄ）で構成されていることを特徴とする。
【０００９】
請求項１に記載の発明によれば、非通気性の中間層を吸音層で挟むようにしてこれらを一体化した複数層部材によって吸音部を構成したことにより、十分な吸音効果と、空気の外部への遮断性能と、形状維持性と、外表面の保護とを確保することができるので、外部への空気の漏れを防ぎ、かつ車室内への騒音を低減した車両用空調装置が得られる。
【００１０】
請求項２に記載の発明は、請求項１に記載の車両用空調装置において、空調ケース（５）と車室内（３）を連通させるダクト（２１、２２）を設け、ダクト（２１、２２）に吸音部（２１、２２）を設けることを特徴とする。請求項２に記載の発明によれば、車室内と近い位置にあるダクトに吸音部を設けることにより、車室内への騒音の低減効果をさらに高めることができる。
【００１１】
請求項３に記載の発明は、請求項２に記載の車両用空調装置において、ダクト（２１、２２）はその全体形状が組み合わされた複数個の複数層部材（２１ｃ、２１ｄ、２２ｃ、２２ｄ）で形成されていることを特徴とする。請求項３に記載の発明によれば、ダクト自身を吸音効果が高く、剛性を備えた部材で構成するので、さらに騒音の低減効果が向上するとともに、剛性も確保できるダクトが得られる。また、全体形状を複数個の複数層部材で構成するので、比較的複雑な形状や長い形状のダクトを作成しやすくなる。
【００１２】
請求項４に記載の発明は、請求項３に記載の車両用空調装置において、複数層部材（２１ｃ、２１ｄ、２２ｃ、２２ｄ）は、吸音層（１１、１２）の間に中間層（１０）をインサートして成形することにより形成されることを特徴とする。請求項４に記載の発明によれば、複雑な形状を有する複数層部材を形成することができる。
【００１３】
請求項５に記載の発明は、請求項１に記載の車両用空調装置において、吸音部（２０）を空調ケース（５）の一部に設けることを特徴とする。請求項５に記載の発明によれば、空調用機能部品などの振動による騒音や空気通路内の気流の乱れによる騒音が発生する部位に吸音部を設けることにより、効果的な騒音の低減が図れる。
【００１４】
請求項６に記載の発明は、請求項１から５のいずれかに記載の車両用空調装置において、複数層部材（２１ｃ、２１ｄ、２２ｃ、２２ｄ）のうち、中間層（１０）よりも外側に位置する吸音層（１２）は、中間層（１０）よりも内側に位置する吸音層（１１）よりも硬い層であることを特徴とする。請求項６に記載の発明によれば、外側に位置する吸音層の硬度を高めて複数層部材の形状を維持する機能を向上させ、内側に位置する吸音層の硬度を下げて吸音率を高めることで吸音機能を向上させた車両用空調装置が得られる。
【００１５】
請求項７に記載の発明は、請求項１から６のいずれかに記載の車両用空調装置において、複数層部材（２１ｃ、２１ｄ、２２ｃ、２２ｄ）のうち、中間層（１０）よりも内側に位置する吸音層（１１）は、中間層（１０）よりも外側に位置する吸音層（１２）よりも厚さの大きい層であることを特徴とする。請求項７に記載の発明によれば、内側の吸音層の厚さを大きくすることにより、内側の吸音層における吸音率を高めて複数層部材の吸音効果を促進することができる。
【００１６】
請求項８に記載の発明は、請求項１から７のいずれかに記載の車両用空調装置において、吸音層（８、９、１１、１２）は繊細な糸状物質から構成されていることを特徴とする。請求項８に記載の発明によれば、繊細な糸状物質の密度を調整することにより、所望の形状維持機能および吸音機能を確保した吸音層を作成することができる。
【００１７】
請求項９に記載の発明は、請求項１から８のいずれかに記載の車両用空調装置において、中間層（１０）は臭気遮断性を有する板材であることを特徴とする。請求項９に記載の発明によれば、通気遮断効果とともに、装置外部の空気が含んでいる臭気がダクトを透過して車室内に侵入することを防止できる。
【００１８】
請求項１０に記載の発明は、請求項１から８のいずれかに記載の車両用空調装置において、中間層（１０）は、外側に位置する吸音層（１２）と、内側に位置する吸音層（１１）との間に膜状に形成した接着材料であることを特徴とする。請求項１０に記載の発明によれば、吸音層を中間層に接着する材料を用いて中間層を構成することができるので、板材などの部品を必要とせず、部品およびコストの低減が図れる。
【００１９】
請求項１１に記載の発明は、車室内（３）に空調された空気を送る空調ユニット（１）と車室内（３）とを連通するように設けられた空調ダクト（３０、３１）であって、その外殻が、非通気性の中間層（７、１０）と、中間層（７、１０）を挟むように両側に配置された吸音層（８、９、１１、１２）とを一体化して形成された複数層部材（３０ａ、３０ｂ、３１ａ、３１ｂ）で構成されていることを特徴とする。
【００２０】
請求項１１に記載の発明によれば、非通気性の中間層を吸音層で挟むようにしてこれらを一体化した複数層部材によって空調ダクトの外殻を構成したことにより、十分な吸音効果と、空気の外部への遮断性能と、形状維持性を確保することができるので、送風通路の容積を狭めたり、ダクトの外形を大きくしたりすることなく、車室内への騒音を低減した空調ダクトが得られる。
【００２１】
請求項１２に記載の発明は、請求項１１に記載の空調ダクトにおいて、複数個の複数層部材（３０ａ、３０ｂ、３１ａ、３１ｂ）が組み合わされてその全体形状が形成されていることを特徴とする。請求項１２に記載の発明によれば、空調ダクト自身を吸音効果が高く、剛性を備えた部材で構成するので、さらに騒音の低減効果が向上するとともに、剛性も確保できる空調ダクトが得られる。また、全体形状を複数個の複数層部材で構成することにより、比較的複雑な形状や長い形状の空調ダクトを作成することができる。
【００２２】
請求項１３に記載の発明は、請求項１２に記載の空調ダクトにおいて、複数層部材（３０ａ、３０ｂ、３１ａ、３１ｂ）は、吸音層（８、９、１１、１２）の間に中間層（７、１０）をインサートして成形することにより形成されることを特徴とする。請求項１３に記載の発明によれば、複雑な形状を有する空調ダクトを形成することができる。
【００２３】
請求項１４に記載の発明は、請求項１１から１３のいずれかに記載の空調ダクトにおいて、複数層部材（３０ａ、３０ｂ、３１ａ、３１ｂ）のうち、中間層（７、１０）よりも外側に位置する吸音層（９、１２）は、中間層（７、１０）よりも内側に位置する吸音層（８、１１）よりも硬い層であることを特徴とする。請求項１４に記載の発明によれば、外側の吸音層の硬度を高めて複数層部材の形状を維持する機能を向上させ、内側の吸音層の硬度を下げて吸音率を高めることで吸音機能を向上させる優れた性能を備えた空調ダクトが得られる。
【００２４】
請求項１５に記載の発明は、請求項１１から１４のいずれかに記載の車両用空調装置において、複数層部材（３０ａ、３０ｂ、３１ａ、３１ｂ）のうち、中間層（７、１０）よりも内側に位置する吸音層（８、１１）は、中間層（７、１０）よりも外側に位置する吸音層（９、１２）よりも厚さの大きい層であることを特徴とする。請求項１５に記載の発明によれば、内側の吸音層の厚さを大きくすることにより、内側の吸音層における吸音率を高めて空調ダクトの吸音効果を促進することができる。
【００２５】
請求項１６に記載の発明は、請求項１１から１５のいずれかに記載の空調ダクトにおいて、吸音層（８、９、１１、１２）は繊細な糸状物質から構成されていることを特徴とする。請求項１６に記載の発明によれば、繊細な糸状物質の密度を調整することにより、所望の形状維持機能および吸音機能を有する吸音層を作成することができる。
【００２６】
請求項１７に記載の発明は、請求項１１から１６のいずれかに記載の空調ダクトにおいて、中間層（７、１０）は臭気遮断性を有する板材であることを特徴とする。請求項１７に記載の発明によれば、通気遮断効果が得られるともに、装置外部の臭気がダクトを透過して車室内に侵入することを防止できる。
【００２７】
請求項１８に記載の発明は、請求項１１から１６のいずれかに記載の空調ダクトにおいて、中間層（７、１０）は、外側に位置する吸音層（９、１２）と内側に位置する吸音層（８、１１）との間に膜状に形成された接着材料であることを特徴とする。請求項１８に記載の発明によれば、吸音層を中間層に接着する材料を用いて中間層を構成することができるので、板材などの部品を必要とせず、部品およびコストの低減が図れる。
【００２８】
なお、上記各手段の括弧内の符号は、後述する実施形態の具体的手段との対応関係を示す一例である。
【発明を実施するための最良の形態】
【００２９】
（第１実施形態）
図１〜図６を用いて第１実施形態を説明する。本実施形態の車両用空調装置は、自家用または業務用の車両に用いられ、車室内の空調をオートコントロールまたはマニュアルコントロールできるように構成されている。本実施形態の空調ダクトは、自家用または業務用の車両に用いられ、空調空気を創出する空調ユニットに接続されて車室内に空調空気を送る部材である。本実施形態の車両用空調装置および空調ダクトは、騒音の低減、および吸音部分の外表面の保護を可能とする。図１は、本実施形態の車両用空調装置を後部座席用エアコンユニットとして使用した場合の構成を示す概略図である。図２は、本実施形態の車両用空調装置および空調ダクトの構成を示した斜視図である。
【００３０】
図１および図２に示すように、本実施形態の車両用空調装置は、車室内３に空調された空気を送風する空調ユニット１を備えている。この空調ユニット１は、空調される空気を取り込んで空調ダクト３０、３１に送るまでの空気通路２と、取り込んだ空気の空調に使用される空調用機能部品４と、空気通路２を形成し、空調用機能部品４を搭載する空調ケース５とを、備えている。
【００３１】
空調ユニット１は、車室内３の後方のトランクルーム内に配置されている。空調ユニット１の主要部分を占める空調ケース５は、後部座席６の後方にあるパッケージトレイの上面に設けられた第１吸込み口２４および第２吸込み口２５と、それぞれ第１吸込みダクト２１および第２吸込みダクト２２によって接続されている。さらに、空調ケース５は、車室内３のルーフサイドに開口された吹出し口と空調ユニット１とを連通するように設けられた第１空調ダクト３０および第２空調ダクト３１と接続されている。
【００３２】
なお、空調ユニット１は、エンジンルームと車室内３を区画する車室内３の前方のダッシュパネルの裏側壁面寄りに配置される構成としてもよい。この場合、第１空調ダクト３０および第２空調ダクト３１は、フットダクトとして使用し、乗員の足元に向けて吹き出すように構成する。
【００３３】
空調用機能部品４は、エアコンユニットに含まれるエバポレータ、ヒータコア、エアミックスドアなどの熱交換器や吹出口切替ドア、ブロワユニットに含まれる送風機や内外気切替ドア、である。エアコンユニットおよびブロワユニットは、空調ユニット１に含まれ、空調ケース５内の所定の位置に配置されている。空調ケース５は横幅寸法よりも高さ寸法が小さい扁平状の筐体であり、複数の樹脂成形部品を組み立てて形成されている。
【００３４】
エバポレータは、冷凍サイクル内の膨張弁で減圧された低温低圧の冷媒を送風機の送風を受けて内部で蒸発させるものであり、空調ケース５内に収納されている。ヒータコアは、走行用エンジンの冷却水を熱源として送風空気を加熱するものであり、エバポレータよりも空気流れ方向下流側の空気通路２を部分的に塞ぐように空調ケース５内に収納されている。また、ヒータコアの上流側でエバポレータの下流側に相当する空気通路２の部位には、ヒータコアを通る空気量と、ヒータコアを迂回する空気量との比率を調節するためのエアミックスドアが設けられている。
【００３５】
第１吸込みダクト２１と第２吸込みダクト２２は、空調ユニット１の上部に配置され、空調ユニット１の両側部に第１吸込み口２４および第２吸い込み口２５を備えている。第１吸込み口２４および第２吸い込み口２５から吸い込まれた空気は、空調ユニット１の両側から中央部に向けて流れ、空調ケース５内で合流する。そして、当該空気は、空調ケース５内に形成された空気通路２を通り、空調用機能部品４を通過して空調ユニット１の側部の吹出しダクト２３内を経て、空調ユニット１の外部に吹き出される。さらに、吹き出された空気は、吹出しダクト２３の吹出し口２６に接続された第１空調ダクト３０内および第２空調ダクト３１内を流れて、第１空調ダクト吹出し口３２および第２空調ダクト吹出し口３３を経由して車室内３に向けて吹き出されることになる。
【００３６】
この空調ユニット１は、空気通路２の全部または一部の外殻を構成する吸音部を備えていることを特徴としている。この吸音部は、空気通路２を流れる空気流による騒音の発生を吸音する機能を有し、非通気性の中間層と、この中間層を挟むように両側に配置された吸音層とが一体化されて形成された複数層部材で形成されている。
【００３７】
また、吸音部は、中間層によって内部を流れる空気が外部に漏れることを防止する機能と、中間層よりも内側に位置する吸音層によって内部の空気による騒音を吸音する吸音率を高める機能と、中間層よりも外側に位置する吸音層によって中間層を保護するとともに全体形状を維持する機能と、を備えている。
【００３８】
この中間層は、非通気性を有し、高密度ポリエチレンのフィルム材、金属薄板、アルミニウム箔付きの樹脂板、多層ハイバリアＰＥＴ、ナイロン多層品、エチレンビニルアルコール共重合樹脂（ＥＶＯＨ）などで構成し、高い延性を有している素材や剛性が低い素材が好ましい。中間層は、空気通路２内を流れる空気を外部に通さない機能を必要とするため、エアバリア性能の高い素材であることが望ましい。特に、エチレンビニルアルコール共重合樹脂（ＥＶＯＨ）はエアバリア性能が高く、さらに空気に含まれる臭気を遮断する効果も高い。
【００３９】
吸音層は、多孔性を有し、繊細な糸状物質を成形したもの、多孔質樹脂材、多孔性を有するポリエチレンテレフタラート（ＰＥＴ）、フェルト材、グラスウール、ロックウール、クロロプレンゴム（ＣＲスポンジ材）、樹脂材に布材を混ぜたもの、連泡性ウレタンなどで構成する。
【００４０】
吸音部は、送風機を覆っているブロワケーシング２０、エバポレータやヒータコアなどの周辺の空気通路２が曲がる部位、エアコンユニットの出口付近および入口付近の空気通路２が曲がる部位、吹出口切替ドアの周辺部位、内外気切替ドアの周辺部位、または、空調ケース５の一部に設けることが望ましい。これは、空気通路２内を流れる空気の気流が乱れやすく、騒音が発生する部位における騒音低減を図るためである。
【００４１】
また、吸音部は、空調ケース５と車室内３を連通させる第１吸込み口ダクト２１または第２吸込み口ダクト２２に設けることが望ましい。第１吸込み口ダクト２１および第２吸込み口ダクト２２は、車室内３に近い位置にあり、空調ユニット１で発生する騒音は第１吸込み口２４および第２吸い込み口２５を通って車室内３に伝わりやすく、ダクト内を伝わる音の吸音率を高めることは騒音低減の効果が大きいからである。
【００４２】
さらに、第１吸込み口ダクト２１または第２吸込み口ダクト２２は、前述の複数層部材を複数個組み合わせて形成することによりその全体形状を形成することが望ましい。その一例を図３および図４を用いて説明する。図３は第２吸込みダクト２２の構成を示した斜視図であり、図４は第１吸込みダクト２１の構成を示した斜視図である。
【００４３】
第２吸込みダクト２２は、一端に開口した第２吸込み口２５と他端に開口した第２吹出し口２２ｅを互いに連通するように備え、その通路形状は矩形状である。さらに、第２吸込みダクト２２は、第２吸込みダクト下側部２２ｃと第２吸込みダクト上側部２２ｄの二つの部品で構成され、各部品は、前述の複数層部材で構成されている。
【００４４】
具体的には、第２吸込みダクト下側部２２ｃ、第２吸込みダクト上側部２２ｄのそれぞれは、非通気性の中間層である板材１０と、この板材１０を挟むように板材１０の内側に配置された吸音層である第１吸音材１１と、板材１０の外側に配置された吸音層である第２吸音材１２とが一体化されて形成された少なくとも３層の複数層部材で形成されている。また、第２吸込みダクト２２の内部にはフレーム部材２２ｂを設け、その風路形状を保持する構成としてもよい。
【００４５】
第２吸込みダクト下側部２２ｃと第２吸込みダクト上側部２２ｄは、それぞれ所定の形状に成形された複数層部材であり、両者はその端部２２ａにおいてヒートプレスによる溶着、振動溶着、または接着によって接合したり、互いに嵌合して結合したりすることで、内部に通路を有する第２吸込みダクト２２の形態を呈する。結果的に端部２２ａは、第２吸込みダクト２２の側面にわずかに突出して伸長する線状部を形成することになる。
【００４６】
同様に、第１吸込みダクト２１は、一端に開口した第１吸込み口２４と他端に開口した第１吹出し口２１ｅを互いに連通するように備え、その通路形状は矩形状である。さらに、第１吸込みダクト２１は、第１吸込みダクト下側部２１ｃと第２吸込みダクト上側部２１ｄの二つの部品で構成され、各部品は、前述の複数層部材で構成されている。また、第１吸込みダクト２１の内部にはフレーム部材２１ｂを設け、その風路形状を保持する構成としてもよい。
【００４７】
具体的には、第１吸込みダクト下側部２１ｃ、第１吸込みダクト上側部２１ｄのそれぞれは、非通気性の中間層である板材１０と、この板材１０を挟むように板材１０の内側に配置された吸音層である第１吸音材１１と、板材１０の外側に配置された吸音層である第２吸音材１２とが一体化されて形成された少なくとも３層の複数層部材で形成されている。
【００４８】
また、第１吸込みダクト下側部２１ｃと第１吸込みダクト上側部２１ｄは、それぞれ所定の形状に成形された複数層部材であり、両者はその端部２１ａにおいてヒートプレスによる溶着、振動溶着、または接着によって接合したり、互いに嵌合して結合したりすることで、内部に通路を有する第１吸込みダクト２１の形態を呈する。結果的に端部２１ａは、第１吸込みダクト２１の側面にわずかに突出して伸長する線状部を形成することになる。
【００４９】
次に、第１空調ダクト３０および第２空調ダクト３１の構成について図５を用いて説明する。第１空調ダクト３０および第２空調ダクト３１についても、第１吸込み口ダクト２１と同様に、前述の複数層部材を複数個組み合わせて形成することによりその全体形状を形成することが望ましい。図５は、第１空調ダクト３０または第２空調ダクト３１の構成を示した分解斜視図である。
【００５０】
第１空調ダクト３０は、第１空調ダクト上側部３０ａと第１空調ダクト下側部３０ｂの二つの部品で構成され、各部品は、前述の複数層部材で構成されている。具体的には、第１空調ダクト上側部３０ａは、非通気性の中間層である板材１０と、この板材１０を挟むように板材１０の内側に配置された吸音層の第１吸音材１１と、板材１０の外側に配置された吸音層の第２吸音材１２とが一体化されて形成された少なくとも３層の複数層部材で形成されている。また、板材１０、第１吸音材１１、および第２吸音材１２は、ともに所定の形状に成形されている。例えば、ロール材からなる薄い層を曲げ加工を施して成形する。
【００５１】
成形された各層は、各層を重ねた状態でプレス加工などを施して一体化した複数層部材に加工され、第１空調ダクト上側部３０ａの形態を呈することになる。例えば、各層間の接合はヒートプレス加工を用いた溶着によって行う。このヒートプレス加工による溶着は、ポリエチレン系の樹脂が各層の間で溶解して接着剤として機能することによって実施できる。ポリエチレン系の樹脂の溶解は、各層の間にあらかじめポリエチレン系の樹脂の粉末を配置して接着剤として使用してもよいし、中間層自体をポリエチレン系の樹脂で構成して、溶解させて接着剤として使用してもよい。
【００５２】
なお、中間層は、このポリエチレン系の接着剤に限らず、外側に位置する吸音層と、内側に位置する吸音層との間に膜状に形成し、非通気性を備えた接着材料で構成する構成してもよい。この構成により、接着材料は薄い非通気性の中間層の機能と、中間層と二つの吸音層を一体化する機能とを併せ持つことになる。
【００５３】
また、第１空調ダクト下側部３０ｂは、非通気性の中間層である板材７と、この板材７を挟むように板材７の内側に配置された吸音層の第１吸音材８と、板材７の外側に配置された吸音層の第２吸音材９とが一体化されて形成された少なくとも３層の複数層部材で形成されている。また、板材７、第１吸音材８、および第２吸音材９は、ともに所定の形状に成形されている。各層は、例えば、ロール材からなる薄い層を曲げ加工を施して成形する。これらの成形された各層は、各層を重ねた状態でプレス加工などを施して一体化した複数層部材に加工され、第１空調ダクト下側部３０ｂの形態を呈する。例えば、各層間の接合は、前述の第１空調ダクト上側部３０ａの作成と同様に、ヒートプレス加工を用いた溶着によって行う。
【００５４】
このように形成された第１空調ダクト上側部３０ａと第１空調ダクト下側部３０ｂは、ダクトの軸方向に伸びる端部１０ａ、１１ａ、１２ａと端部７ａ、８ａ、９ａをヒートプレスによる溶着、振動溶着、または接着によって接合することで内部に通路を有する第１空調ダクト３０の形態を呈することになる。
【００５５】
さらに、第２空調ダクト３１は、第２空調ダクト上側部３１ａと第２空調ダクト下側部３１ｂの二つの部品で構成され、各部品は、前述の複数層部材で構成されている。なお、第２空調ダクト上側部３１ａ、第２空調ダクト下側部３１ｂのそれぞれを構成する複数層部材の詳細については、前述の第１空調ダクト上側部３０ａ、第１空調ダクト下側部３０ｂと同様であり、その説明は省略する。
【００５６】
また、吸音部を構成する複数層部材は、二つの吸音層の間に中間層をインサートして成形することにより形成してもよい。この場合、中間層は、非通気性を有するポリエチレンのフィルム材、金属薄板、アルミニウム箔付きの樹脂板などで構成し、二つの吸音層は、溶融樹脂であり、多孔性を有する樹脂材、ポリエチレンテレフタラートなどで構成する。
【００５７】
そして、この複数層部材の形成には金型を用いたインサート成形を使用し、金型内にインサート品である中間層を装填した後、吸音層を構成する溶融樹脂を注入してインサート品を溶融樹脂で包んで固化させ一体化する。このように成形することにより、空調ユニット１の全部または一部に設けた吸音部、第１空調ダクト３０、および第２空調ダクト３１について、複雑な取付け形状や、寸法精度が求められる嵌合のための形状を形成することが可能となる。
【００５８】
次に、吸音部の構成の違いによる騒音低減の効果について、いくつかの異なる構造を有するダクトを例に挙げた実験結果を説明する。騒音の低減効果を調べたダクトは、「Ａ．通常の樹脂製ダクト」、「Ｂ．高い剛性を有する吸音材の外側に非通気性のフィルムを覆った構成のダクト」、「Ｃ．非通気性のフィルムを高い剛性を有する吸音材で挟んだ構成のダクト」、「Ｄ．非通気性のフィルムの内側に低い剛性で吸音率の高い吸音材を配し、外側に高い剛性を有する吸音材を配して当該フィルムを挟んだ構成のダクト」である。
【００５９】
実験条件は、５０ｍｍ角、長さ３００ｍｍの寸法に形成した上記構成ＡからＤの各ダクトについて、その一端側入口に音源（騒音レベル１２０ｄＢ）を配置し、他端側出口から１００ｍｍ離れた位置で騒音の測定を行ったものである。騒音の測定は、音源で発生した音がダクトの内部を通り、ダクト内で吸音された後、ダクト出口から出てきたときの音圧レベル測定したものであり、その測定値は、Ａ特性周波数重み付け音圧レベルにより測定した値である。
【００６０】
このような条件における測定値は、構成Ａのダクトにおける測定値１０６.８ｄＢを基準値とすると、構成ＢからＤのダクトによる基準値からの低減度合いは、構成Ｂが−８．９ｄＢ、構成Ｃが−７．５ｄＢ、構成Ｄが−１２．２ｄＢであった。この結果から、構成Ｄによる低減度合いが最も優秀であることがわかる。なお、構成Ｂのダクトは、構成Ｃよりも基準値からの低減度合いが大きいものの、前述したように、フィルムの保護という観点から空気遮断性能に問題がある。
【００６１】
ダクト内部を通過するときの音波は、中間層よりも内側に位置する吸音層を通過するとき、空気分子と吸音層との摩擦および粘性抵抗により音エネルギーを消耗する。そして音エネルギーを消耗して空気分子は、中間層で反射してダクト内に戻りダクト出口から出て行く。このように、音エネルギーの消耗は、吸音層の構成によって大きく左右される。なお、このとき一部の音エネルギーは、振動という形態で外側の吸音層側に伝搬する。
【００６２】
この理論および実験結果から、複数層部材のうち、非通気性を有する中間層よりも内側に位置する吸音層は、中間層よりも外側に位置する吸音層よりも柔らかい層であることが望ましい。言い換えれば、非通気性を有する中間層よりも外側に位置する吸音層は、中間層よりも内側に位置する吸音層よりも硬い層であることが望ましい。また、音エネルギーの消耗を促進させるためには、空気分子が通る吸音層の距離を長くすればよい。このことから、複数層部材のうち、中間層よりも内側に位置する吸音層は、中間層よりも外側に位置する吸音層よりも厚さの大きい層であることが望ましい。
【００６３】
次に、非通気性の中間層を設けた吸音部による外部からの臭気の侵入を低減する効果について、いくつかの異なる構造を有するダクトを例に挙げた実験結果を説明する。この臭気侵入の低減は、空調ユニットや空調ダクトが配置されている空間の空気が臭気成分を有している場合に効果を発揮し、この臭気を含む空気が吸音部を通過して装置内部に入り車室内に侵入することを防止することになる。例えば、トランクルーム内に臭気を発生する物が置かれた場合、この臭気が吸音部を通過して装置内に入り込んで空気とともに車室内に送られてしまうことがある。
【００６４】
図６は、３種類のダクトについて１７名の被験者が感じた臭気侵入レベルを検証した結果を表した図である。実験に用いたダクトは、「通常の樹脂製ダクト」、「吸音層を有しているが、非通気性のフィルムを有さない吸音ダクト」、および「吸音層を有し中間に非通気性のフィルムを有する吸音ダクト」であり、それぞれ図６中に、実線、破線、二点鎖線で示している。
【００６５】
実験は、実験開始時の臭気レベルが「その正体が分かる程度」に認識できる状態の外部環境に前述３種類のダクトのそれぞれを配置したときに、この外部環境と遮断されているがダクトの内部と連通している場所に配置された被験者が、時間の経過とともに感じる臭気レベルの変化を検出したものである。
【００６６】
この検証結果により、各ダクトにおける被験者が感じる臭気のレベルは、実験開始からしばらくはあまり差が生じていないが、実験開始から１０分程度経過すると、レベルに差が生じることになった。実験開始から１５分が経過すると、「通常の樹脂製ダクト」および「中間に非通気性のフィルムを有する吸音ダクト」と比べて「非通気性のフィルムを有さない吸音ダクト」については、かすかに臭気を感じるようになる。これに対して、「通常の樹脂製ダクト」と「中間に非通気性のフィルムを有する吸音ダクト」は、まだ臭気を感じない状態であり、臭気遮断性においても「中間に備えた非通気性のフィルム」が効果を発揮することがわかる。
【００６７】
この検証結果から、中間層は、周期遮断性を有する板材で構成することが望ましい。例えば、エアバリア性が高いエチレンビニルアルコール共重合樹脂（ＥＶＯＨ）を板材に加工して適用することができる。
【００６８】
このように本実施形態の車両用空調装置は、空調ユニット１が、空気が流通する空気通路２と、空気の空調に使用される空調用機能部品４を搭載し、空気通路２を形成する空調ケース５と、空気通路２の全部または一部の外殻を構成するように設けられた吸音部と、を備える。そして、吸音部であるブロワケーシング２０、第１吸込みダクト２１、第２吸込みダクト２２、および吹出しダクト２３は、非通気性の板材１０と、板材１０を挟むように両側に配置された第１吸音材１１および第２吸音材１２とを一体化して形成された複数層部材で構成されている。
【００６９】
この構成を採用したことにより、十分な吸音効果と、空気の外部への遮断性能と、形状維持性と、外表面の保護を確保することができるので、外部への空気の漏れを防ぎ、かつ車室内３への騒音を低減することができる。また、非通気性の板材１０が第１吸音材１１および第２吸音材１２で挟まれて保護されているので、運搬、組み立て作業時に板材１０を傷つけて破損することがなく、騒音低減とともに、空気遮断性能の確保が実現できる。
【００７０】
また、車両用空調装置は、空調ケース５と車室内３を連通させる第１吸込みダクト２１および第２吸込みダクト２２を設け、両ダクト２１および２２に吸音部を備えている。この構成を採用した場合には、車室内３と近い位置にあるダクトの吸音率を高めることにより、車室内３への騒音の低減効果をさらに高めることができる。
【００７１】
また、第１吸込みダクト２１はその全体形状が組み合わされた複数個の複数層部材である第１吸込みダクト下側部２１ｃ、第１吸込みダクト上側部２１ｄで形成されている。また、第２吸込みダクト２１はその全体形状が組み合わされた複数個の複数層部材である第２吸込みダクト下側部２２ｃ、第２吸込みダクト上側部２２ｄで形成されている。
【００７２】
この構成を採用した場合には、ダクト自身を吸音効果が高く、剛性を備えた部材で構成するので、さらに騒音の低減効果が向上するとともに、剛性も確保できるダクトが得られる。また、全体形状を複数個の複数層部材で構成するので、比較的複雑な形状や長い形状のダクトを作成しやすくなる。
【００７３】
また、第１吸込みダクト下側部２１ｃ、第１吸込みダクト上側部２１ｄ複数層部材、第２吸込みダクト下側部２２ｃ、または第２吸込みダクト上側部２２ｄは、第１吸音部材１１と第２吸音部材１２との間に板材１０をインサートして成形することにより形成されている。この構成を採用した場合には、複雑な形状を有する複数層部材を形成することができる。
【００７４】
また、車両用空調装置は、吸音部をブロワケーシング２０に備えている。この構成を採用した場合には、送風機などの振動による騒音や空気通路内の気流の乱れによる騒音の効果的な低減が図れる。
【００７５】
また、車両用空調装置は、第１吸込みダクト上側部２１ｄ複数層部材、第２吸込みダクト下側部２２ｃ、第２吸込みダクト上側部２２ｄ、またはブロワケーシング２０において、板材１０よりも外側に位置する第２吸音材１２は、板材１０よりも内側に位置する第１吸音材１１よりも硬い層である。この構成を採用した場合には、外側に位置する第２吸音材１２の硬度を高めてダクトの形状機能を向上させ、内側に位置する第１吸音材１１の硬度を下げて吸音率を高めることで吸音機能を向上させた車両用空調装置が得られる。
【００７６】
車両用空調装置は、第１吸込みダクト上側部２１ｄ複数層部材、第２吸込みダクト下側部２２ｃ、第２吸込みダクト上側部２２ｄ、またはブロワケーシング２０において、板材１０よりも内側に位置する第１吸音材１１は、板材１０よりも外側に位置する第２吸音材１２よりも厚さの大きい層である。この構成を採用した場合には、内側の第１吸音材１１における吸音率を高めて複数層部材の吸音効果を促進することができる。
【００７７】
また、第１吸音材８、１１、および第２吸音材９、１２は、繊細な糸状物質から構成されている。この構成を採用した場合には、繊細な糸状物質の密度を調整することにより、所望の形状維持機能および吸音機能を確保した第１吸音材８、１１、および第２吸音材９、１２を作成することができる。
【００７８】
また、中間層は臭気遮断性を有する板材で構成する。この構成を採用した場合には、装置外部の空気が含んでいる臭気が中間層を透過してダクト内に入り、車室内３に侵入することを防止できる。
【００７９】
また、中間層は、外側に位置する第２吸音材１２と、内側に位置する第１吸音材１１との間に膜状に形成した接着材料で構成することとする。この構成を採用した場合には、第２吸音材１２と第１吸音材１１を接着する材料を用いて中間層を構成することができるので、板材などの中間層を必要とせず、部品およびコストの低減が図れる。
【００８０】
本実施形態の第１空調ダクト３０は、その外殻が、非通気性の板材７、１０と、板材７、１０を挟むように両側に配置された第１吸音材８、１１および第２吸音材９、１２とを一体化して形成された第１空調ダクト上側部３０ａおよび第１空調ダクト下側部３０ｂで構成されている。また、第２空調ダクト３１は、その外殻が、非通気性の板材７、１０と、板材７、１０を挟むように両側に配置された第１吸音材８、１１および第２吸音材９、１２とを一体化して形成された第２空調ダクト上側部３１ａおよび第２空調ダクト下側部３１ｂで構成されている。
【００８１】
この構成を採用した場合には、十分な吸音効果と、空気の外部への遮断性能と、形状維持性を確保することができるので、空調ダクトの送風通路の容積を狭めたり、ダクトの外形を大きくしたりすることなく、車室内３への騒音を低減することができる。
【００８２】
また、第１空調ダクト３０は、第１空調ダクト上側部３０ａと第１空調ダクト下側部３０ｂが組み合わされてその全体形状が形成されている。また、第２空調ダクト３１は、第２空調ダクト上側部３１ａと第２空調ダクト下側部３１ｂが組み合わされてその全体形状が形成されている。この構成を採用した場合には、空調ダクト自身を吸音効果が高く、剛性を備えた部材で構成するので、さらに騒音の低減効果を向上した空調ダクトが得られる。また、全体形状を複数個の複数層部材で構成することにより、比較的複雑な形状や長い形状の空調ダクトを作成することができる。
【００８３】
また、第１空調ダクト上側部３０ａ、第１空調ダクト下側部３０ｂ、第２空調ダクト上側部３１ａ、または第２空調ダクト下側部３１ｂは、第１吸音材８、１１と第２吸音材９、１２の間に板材７、１０をインサートして成形することにより形成することとする。この構成を採用した場合には、取付け形状や嵌合形状において複雑な形状を有する空調ダクトを形成することができる。
【００８４】
また、第１空調ダクト上側部３０ａ、第１空調ダクト下側部３０ｂ、第２空調ダクト上側部３１ａ、または第２空調ダクト下側部３１ｂにおいて、板材７、１０よりも外側に位置する第２吸音材９、１２は、板材７、１０よりも内側に位置する第１吸音材８、１１よりも硬い層とする。この構成によれば、外側の第２吸音材９、１２の硬度を高めてダクトの形状を維持する機能を向上させ、内側の第１吸音材８、１１の硬度を下げて吸音率を高めることで吸音機能を向上させることができる。
【００８５】
また、第１空調ダクト上側部３０ａ、第１空調ダクト下側部３０ｂ、第２空調ダクト上側部３１ａ、または第２空調ダクト下側部３１ｂにおいて、板材７、１０よりも内側に位置する第１吸音材８、１１は、板材７、１０よりも外側に位置する第２吸音材９、１２よりも厚さの大きい層とする。この構成によれば、内側の第１吸音材８、１１における吸音率を高めて空調ダクトの吸音効果を促進することができる。
【００８６】
また、第１空調ダクト３０、または第２空調ダクト３１における第１吸音材８、１１、および第２吸音材９、１２は、繊細な糸状物質から構成されている。この構成を採用した場合には、繊細な糸状物質の密度を調整することにより、所望の形状維持機能および吸音機能を有する空調ダクトを作成することができる。
【００８７】
また、第１空調ダクト３０、または第２空調ダクト３１における中間層は臭気遮断性を有する板材で構成する。この構成を採用した場合には、通気遮断効果が得られるともに、装置外部の臭気がダクトを透過して車室内３に侵入することを防止できる。
【００８８】
また、第１空調ダクト３０、または第２空調ダクト３１における中間層は、外側に位置する第２吸音材９、１２と内側に位置する第１吸音材８、１１との間に膜状に形成された接着材料で構成する。この構成を採用した場合には、第１吸音材８、１１および第２吸音材９、１２と中間層に接着する材料を用いて中間層を構成することができるので、フィルムや板材などの部品が不要であり、部品およびコストの低減が図れる。
【図面の簡単な説明】
【００８９】
【図１】第１実施形態の車両用空調装置を後部座席用エアコンユニットとして使用した場合の構成を示した概略図である。
【図２】第１実施形態の車両用空調装置および空調ダクトの構成を示した斜視図である。
【図３】第１実施形態の車両用空調装置の第２吸込みダクト２２の構成を示した斜視図である。
【図４】第１実施形態の車両用空調装置の第１吸込みダクト２１の構成を示した斜視図である。
【図５】第１実施形態の空調ダクトの構成を示した分解斜視図である。
【図６】第１実施形態の空調ダクトについて、１７名の被験者により臭気侵入レベルを検証した結果を表した図である。
【符号の説明】
【００９０】
１          空調ユニット
２          空気通路
３          車室内
４          空調用機能部品
５          空調ケース
７、１０    板材（中間層）
８、１１    第１吸音材（吸音層）
９、１２    第２吸音材（吸音層）
２０        ブロワケーシング（吸音部）
２１        第１吸込みダクト（吸音部、ダクト）
２１ｃ      第１吸込みダクト下側部（複数層部材）
２１ｄ      第１吸込みダクト上側部（複数層部材）
２２        第２吸込みダクト（吸音部、ダクト）
２２ｃ      第２吸込みダクト下側部（複数層部材）
２２ｄ      第２吸込みダクト上側部（複数層部材）
２３        吹出しダクト（吸音部）
３０        第１空調ダクト（空調ダクト）
３０ａ      第１空調ダクト上側部（複数層部材）
３０ｂ      第１空調ダクト下側部（複数層部材）
３１        第２空調ダクト（空調ダクト）
３１ａ      第２空調ダクト上側部（複数層部材）
３１ｂ      第２空調ダクト下側部（複数層部材）
【図１】
2007153134.tif 000003
【図２】
2007153134.tif 000004
【図３】
2007153134.tif 000005
【図４】
2007153134.tif 000006
【図５】
2007153134.tif 000007
【図６】
2007153134.tif 000008